(57)【特許請求の範囲】
【請求項１】
長手方向に延びる長さ、横方向に延びる幅、及び垂直方向に延びる深さを有するタイヤトレッドであって、
１対の隣り合う路面係合要素を有し、各路面係合要素は、路面係合接触面を有し、
前記１対の路面係合要素を互いに隔てる溝を有し、前記溝は、底部及び溝幅により離隔された１対の対向した側壁を有し、前記溝は、長さと、前記路面係合接触面から前記底部まで、長さに垂直に伸びる溝深さとを有し、
特定のサイズを有すると共に前記１対の路面係合要素相互間に延びる前記溝の部分と連通関係をなして設けられ、前記溝の長さ方向に沿って配置された複数のサイプを有し、前記複数のサイプは、前記１対の対向した側壁の一方に沿って配置された前記サイプの第１の配列群と、前記１対の対向した側壁の他方に沿って配置された前記サイプの第２の配列群とを含み、
前記溝の長さ方向に沿って間隔をあけて設けられた複数のエゼクタを有し、各エゼクタは、頂側部と、底側部と、頂側部から底側部まで伸びる高さ方向と、を有し、エゼクタは、前記溝側壁のうちの一方から前記溝内へと延びる突出部を含み、前記エゼクタ及び前記サイプは、物体を前記タイヤトレッドから排除するようにするために前記側壁相互間の前記溝に沿う方向における相対運動を生じさせるよう配置されており、
各エゼクタは、前記エゼクタの側部から突出し、前記溝内へ前記溝の深さ方向に延びる２つの突条を有し、前記２つの突条は、前記溝の長さ方向に離間し、前記２つの突条の間に凹状部分を形成し、
前記第１の配列群の各サイプが、前記１対の対向した側壁に沿って、第２の配列群のサイプの一つの反対側に位置することがないように、前記サイプの第１の配列群は、溝の長さ方向に、前記サイプの第２の配列群と互い違いであり、
前記複数のエゼクタ及び複数のサイプは、タイヤトレッドから物体を排除するために、前記１対の対向した側壁の間に前記溝の長さ方向の相対移動をもたらすように構成されており、
前記複数のサイプのそれぞれは、前記路面係合要素の前記路面係合接触面から前記複数のエゼクタの各頂面を少なくとも部分的に通って下方に延び、前記路面係合要素の幅の全域にわたって伸びる、タイヤトレッド。
【請求項２】
前記サイプは、前記複数のエゼクタの一つの中に設けられている、請求項１記載のタイヤトレッド。
【請求項３】
前記複数のサイプのそれぞれは、前記１対の対向した側壁の一方の側壁の一部分に隣接して設けられ、前記一部分は、同様なサイプを備えていない、請求項２記載のタイヤトレッド。
【請求項４】
前記複数のサイプのそれぞれは、前記複数のエゼクタの一つと向かい合った前記側壁の前記一方に沿って配置されている、請求項１記載のタイヤトレッド。
【請求項５】
前記複数のサイプのそれぞれは、前記複数の側壁のうちの一方の対向した側壁の一部分に隣接して設けられ、前記一部分は、同様なサイプを備えていない、請求項４記載のタイヤトレッド。
【請求項６】
前記複数のエゼクタの一つの一部と向かい合った前記一対の側壁の一方に位置する前記複数のサイプのそれぞれは、前記トレッドの中心線に実質的に垂直な方向に配置されている、請求項４記載のタイヤトレッド。
【請求項７】
各エゼクタは、断面及び前記溝の底部から遠ざかって延びる高さを有し、前記断面は、前記エゼクタが前記溝底部の最も近くに位置する部分から延びるにつれて幅が狭くなっている、請求項１記載のタイヤトレッド。
【請求項８】
前記１対の路面係合要素の各路面係合要素は、リブ又は突起である、請求項１記載のタイヤトレッド。
【請求項９】
前記複数のサイプのそれぞれは、高さを有し、前記複数のサイプのそれぞれの高さ及び前記複数のエゼクタのそれぞれの高さは、前記トレッドの前記横方向及び前記長手方向に延びる横方向平面を貫通している、請求項１記載のタイヤトレッド。
【請求項１０】
各エゼクタは、前記エゼクタの頂側部と、底側部との間の距離として定められる高さを有し、前記エゼクタの底側部は、前記溝の底部からオフセットしている、請求項１記載のタイヤトレッド。
【請求項１１】
前記複数のエゼクタのうちの一つまたは二つ以上は、前記複数のサイプのうちの二つ又は三つ以上を含む、請求項１記載のタイヤトレッド。
【請求項１２】
前記複数のエゼクタのそれぞれは、前記溝の幅の狭まった部分を形成する、請求項１記載のタイヤトレッド。
【請求項１３】
前記複数のサイプのそれぞれは、前記複数のエゼクタの一つ内に、前記２つの突条の間に配置される、請求項１記載のタイヤトレッド。
【請求項１４】
前記エゼクタの底側部は、前記溝の底部からオフセットしており、前記複数のサイプのそれぞれは、前記溝内に、前記エゼクタの底側部を通って完全に下方に延びている、請求項５記載のタイヤトレッド。
【発明の詳細な説明】
【技術分野】
【０００１】
本発明は、一般に、タイヤのトレッドパターンに関し、特に、石及び他の物体をタイヤトレッドから排除し又は脱落させる機構又は仕組みを備えたトレッドパターンに関する。
【背景技術】
【０００２】
一般に、タイヤは、路面に係合するトレッド部分を有することが知られている。トレッド部分は、路面とタイヤとの間のトラクションを生じさせるトレッドパターンを有する場合がある。トレッドパターンは、円周方向溝、側方（横方向）溝及び他形式のボイド又は空所を有する場合があり、これらは、トラクションエッジを形成するよう別個独立に又は共同して用いられる場合がある。さらに、かかるボイドは又、タイヤトラクションを向上させるよう水、雪、泥、砂等を取り込むと共に／或いは押し退けることができる。しかしながら、かかるボイドには、タイヤトレッド内に取り込み状態になる場合のある石及び他の物体も又入り込む場合がある。これら物体は、ホストタイヤの性能及び安全性にとって有害な場合がある。というのは、かかる物体は、タイヤトラクションを減少させると共に／或いはタイヤのアンバランス、摩耗、摩滅及びパンクを生じさせる場合があるからである。
【０００３】
したがって、物体がタイヤトレッドパターン内に取り込み状態になった場合、物体が別の支援無しでは脱落することが困難な場合がある。公知の機構が、物体が取り込み状態になるのを阻止することができない場合、車両を停車させて本人自ら取り込み状態の物体を除去する必要なく、物体を脱落させることができる機構を提供することが望ましい場合がある。かかる機構は、車両オペレータには知られていない安全上の問題を処理させる場合のある何らかの物体がトッレド内に入っているのを車両オペレータが気付かないときでも有用な場合がある。
【発明の概要】
【０００４】
本発明の特定の実施形態では、物体をタイヤトレッドパターンから排除する装置を含む。本発明の特定実施形態は、長手方向に延びる長さ、横方向に延びる幅、及び垂直方向に延びる深さを有するタイヤトレッドであって、１対の隣り合う路面係合要素を有し、各路面係合要素は、路面係合接触面を有し、タイヤトレッドは、１対の路面係合要素を互いに隔てる溝を更に有し、溝は、底部及び溝幅により離隔された１対の対向した側壁を有し、タイヤトレッドは、特定のサイズを有すると共に１対の路面係合要素相互間に延びる溝の部分と連通関係をなして設けられたサイプと、サイプと関連したエゼクタとを更に有し、エゼクタは、溝内に延びる突出部を含むことを特徴とするタイヤトレッドを含む。特定の実施形態では、サイプは、サイドウォールの一方に沿って設けられ、サイドウォールの一方は、エゼクタを備えたサイドウォールと向かい合っている。特定の実施形態では、サイプは、エゼクタに沿って設けられている。
【０００５】
本発明の特定の実施形態は又、長手方向に延びる長さ、横方向に延びる幅、及び垂直方向に延びる深さを有するタイヤトレッドであって、１対の隣り合う路面係合要素を有し、各路面係合要素は、路面係合接触面を有し、タイヤトレッドは、１対の路面係合要素を互いに隔てる溝を更に有し、溝は、底部及び溝幅により離隔された１対の対向した側壁を有し、タイヤトレッドは、溝の側壁のうちの一方から溝内に延びる突出部を備えたエゼクタを更に有し、エゼクタは、先導側部、後続側部、及び先導側部と後続側部との間に延びる横方向側部を有し、タイヤトレッドは、特定のサイズを有すると共に溝と連通関係をなして設けられた第１のサイプを更に有し、第１のサイプは、エゼクタを含む同一のサイドウォールに沿って、エゼクタの先導縁部か後続縁部かのいずれかに隣接して設けられていることを特徴とするタイヤトレッドを含む。特定の実施形態は、エゼクタと同一の側壁から延びる第２のサイプを更に有し、第２のサイプは、特定のサイズを有すると共に、溝と連通状態をなして設けられ、第１のサイプは、エゼクタの先導側部又は後続側部のうちの一方に隣接して設けられ、第２のサイプは、エゼクタの先導側部又は後続側部のうちの他方に隣接して設けられている。特定の実施形態では、第１のサイプは、エゼクタを備えたサイドウォールと向かい合ったサイドウォールに沿ってエゼクタの横方向側部に隣接して設けられている。
【０００６】
本発明の上述の目的、特徴及び利点並びに他の目的、特徴及び利点は、添付の図面に示されている本発明の特定の実施形態についての以下の詳細な説明から明らかになろう。なお、図中、同一の参照符号は、本発明の同一の部分を示している。
【図面の簡単な説明】
【０００７】
【図１】本発明の一実施形態としての例示のタイヤのトレッドパターンの平面図である。
【図２】本発明の一実施形態に従って溝に沿う特定のサイプ−エゼクタ構造を示す例示のトッレッドパターン部分の平面図である。
【図３】図２に示されている例示のトレッドパターンの溝側壁の側面図である。
【図４】本発明の一実施形態に従って溝に沿う特定のサイプ−エゼクタ構造を示す例示のトッレッドパターン部分の平面図である。
【図５】図４に示されている例示のトレッドパターンの溝側壁の側面図である。
【図６】本発明の一実施形態に従ってタイヤフットプリントから出たタイヤトレッドを示す図２に示されている例示のトッレッドパターンの溝側壁の側面図である。
【図７】本発明の一実施形態に従ってタイヤフットプリントから出たタイヤトレッドを示す図４に示されている例示のトッレッドパターンの溝側壁の側面図である。
【図８】図２に示されている例示のトレッドパターンの各溝側壁の関連の側面図及び本発明の一実施形態に従ってトレッドがタイヤフットプリントから出ているときの各側部相互間の相対運動を示す関連の側面図を含む図である。
【図９】本発明の一実施形態としての例示のエゼクタの斜視図である。
【図１０】本発明の一実施形態としての例示のエゼクタの斜視図である。
【図１１】本発明の一実施形態としての例示のエゼクタの斜視図である。
【図１２】本発明の一実施形態としての例示のエゼクタの斜視図である。
【図１３】本発明の一実施形態としての例示のエゼクタの斜視図である。
【図１４】本発明の一実施形態に従って溝に沿う特定のサイプ−エゼクタ構造を示す例示のトレッドパターンの溝側壁の側面図である。
【図１５】本発明の一実施形態に従って溝に沿う特定のサイプ−エゼクタ構造を示す例示のトレッドパターンの溝側壁の側面図である。
【発明を実施するための形態】
【０００８】
本発明の特定の実施形態は、物体をタイヤトレッド部分から排除し又は脱落させる装置を含む。かかる実施形態では、かかる排除装置を含むトレッド部分又はトレッドは、タイヤに取り付けられても良く、或いは、例えばトレッドを用いてタイヤを山掛けする際にタイヤから別々に存在しても良い。
【０００９】
図１を参照すると、タイヤトレッド部分１０は、一般に、長さ、幅及び深さを有している。長さは、長手方向（ＤC）に延び、この方向は又、トレッドがタイヤに取り付けられるときのタイヤの円周方向でもある。トレッド幅は、トレッド中心線（ＣＬ）に垂直な横方向（ＤL）に延びており、トレッド深さは、垂直方向に延びている。本明細書において、タイヤトレッド部分及び物体排除装置の例示の実施形態について説明する。
【００１０】
図１に例示として示されているように、トレッド部分１０は、１つ又は２つ以上の路面係合要素、例えばリブ１２又は突起１４を有するのが良い。路面係合要素は、タイヤフットプリント又は接触パッチの範囲内で路面に接触する。各リブ１２は、全体として、１つ又は２つ以上の方向においてタイヤ１０の周囲に沿ってぐるりと延びており、かかるリブは、一般に、１つ又は２つ以上の長手方向溝２０によって境界付けられている。各リブ１２は、実質的に連続したままであっても良く、或いは、複数個の突起１４から成っていても良い。突起１４は、一般に、路面係合面を有し、これら突起は、１つ又は２つ以上の長手方向溝２０及び１つ又は２つ以上の横方向溝２１によって確定されている。突起１４は、リブ１２が設けられない状態で存在しても良いことが想定され、この場合、かかる突起１４は各々、リブ１２内には配置されないようトレッド１０に沿って恣意的に又はランダムに配置できる。
【００１１】
引き続き図１を参照すると、例示のトレッド部分１０は、本明細書においてエゼクタ３０と呼ぶ１つ又は２つ以上の突出部を有している。エゼクタ３０は、一般に、溝内に延び、かかるエゼクタは、溝２０内に取り込まれ又は違ったやり方で入り込んでいる石又は他の物体と相互作用することができる。各溝２０，２１は、互いに向かい合った溝壁２２ａ，２２ｂ及び溝底部２４を有している。エゼクタ３０は、溝側壁２２か溝底部２４かのいずれかから長手方向溝２０又は横方向溝２１内に延びるのが良い。
【００１２】
長手方向溝２０は、一般に、深さ（即ち、高さ）を有し、この長手方向溝は、特定の経路に沿って延びるのが良く、この経路は、直線であっても良く、非直線であっても良い。例えば、経路は、直線、弧状又は図１に例示的に示されているようにジグザグであって良い。さらに、溝２０は、最終的にはタイヤの種類に沿って延びる経路に沿って延びても良く、或いは、制限された距離にわたり、例えば、１つ又は２つ以上の路面係合トレッド要素、例えばリブ１２又は突起１４相互間に延びても良い。溝２０は、トレッド中心線（ＣＬ）に平行な方向に又はこれに対して任意の角度をなして延びても良い。溝２０は、一般に、幅（ＷG）を有し、従って、向かい合った溝壁２２ａ，２２ｂは、タイヤフットプリント内で走行する際に互いに接触するよう幅（ＷG）全体にわたって内方に潰れることがないようになっている。特定の実施形態では、溝幅（ＷG）は、２〜２０ミルメートル（ｍｍ）であるのが良く、トレッド幅は、２０〜２４ｍｍであるのが良い。しかしながら、種々のタイヤサイズ及び設計が種々の目的で存在する場合があるのでこれよりも大きな又はこれよりも小さな溝幅（ＷG）及び深さが存在しても良いことが想定される。溝２０とは対照的に、サイプ５０は、一般に閉鎖状態のままであり又は少なくともタイヤフットプリントを通って走行する際に内方に潰れる幅の狭いスリット又は細長いボイドである。溝２０，２１は、水、雪等をフットプリントから押し退けるトレッドボイドを提供する一方で、トラクション表面積を減少させる。サイプ５０は、ボイドの変化を殆ど生じさせず、他の利点、例えばトレッド剛性の減少及びトレッド発熱の減少並びに追加のトラクションエッジを提供することによりトラクションの増大をもたらす。
【００１３】
図１〜図５に示されているように、サイプ５０は、一般に、リブ１２又は突起１４のトッレド接触面１６から下方に延びると共に寸法形状が様々であって良い。例えば、サイプ５０は、所望の高さ（ＨS）を達成するようトレッド１０の任意の深さに延びるのが良い。図３及び図５は、路面接触要素の深さ又は高さを部分的に貫通して延びるサイプ５０を例示として示している。図１４は、路面係合要素の深さ又は高さを完全に貫通して延びるサイプ５０を例示として示している。サイプ５０は又、どのリブ１２又は突起１４の幅をも完全に又は部分的に横切って延びると共に横方向（ＤL）に対して任意の方向に延びることができ、かかる方向としては、特定の実施形態では、図１に例示的に示されているように、実質的にタイヤ横方向（ＤL）に延びることが挙げられる。各サイプ５０が任意の方向に延びる場合、各サイプ５０は、直線経路、弧状経路又はジグザグ経路を含む任意所望の経路を辿ることができる。図１、図２及び図４は、側方に延びるジグザグ経路をなして延びるサイプ５０を例示的に示しており、図３及び図５は、下方にジグザグ経路をなして延びるサイプ５０を示している。図１４は、直線下方経路を示している。サイプ５０は、例えば例示の実施形態において図１４に示されているようにサイプ５０の内端部の近く又はかかる内端部のところに設けられた大きなボイド５２を有しても良い。ボイド５２は、任意の寸法形状のものであって良く、かかるボイドは、サイプ５０に対してどのように位置決めされ又は配置されても良い。一般に理解されるように、当業者には知られている任意のサイプ設計又は構成を本発明に従って使用することができる。
【００１４】
全体として図２〜図５を参照すると、各エゼクタ３０は、溝側壁２２から延びるにせよ溝底部２４から延びるにせよ、良いずれにせよ、先導側部３２及び／又は後続側部３４を有し、各エゼクタは、高さ（ＨE）、幅（ＷE）及び長さ（ＬE）で定められる。各エゼクタ３０の寸法サイズは、各タイヤのサイズ及び目的が様々である場合に様々であって良い。特定の実施形態では、エゼクタ３０は、２〜１０ｍｍの幅（ＷE）及び５〜６０ｍｍの長さ（ＬE）を有するのが良い。エゼクタ３０は、溝２０内に任意の距離にわたって伸びても良いことが想定される。特定の実施形態では、エゼクタ３０の幅（ＷE）は、溝幅（ＷG）のほぼ５０％までであるが、これの大きいことが本発明の範囲に含まれる。他の実施形態では、エゼクタ３０の幅（ＷE）は、溝幅（ＷG）の１０％〜３０％である。
【００１５】
エゼクタ３０は、溝側壁２２に向いた１つ又は２つ以上の横方向側部３６を更に有するのが良い。エゼクタ３０の任意の又は全ての側部３２，３４，３６は任意の方向に延びても良い。特定の実施形態では、エゼクタ３０の１つ又は２つ以上の側部は、図２〜図５、図９〜図１３に例示的に示されているように溝底部２４に対して傾けられるのが良く、これにより、一般に、エゼクタ高さ（ＨE）の増大につれて幅が狭くなる断面を備えたエゼクタ３０が提供される。これら傾斜した側部は、物体に係合してこれを溝２０から外方に差し向けることにより物体を排除するのを助けることができる。
【００１６】
引き続き図２〜図５を参照すると、エゼクタ３０の特定の実施形態は、横方向側部３６に沿って任意の方向に又はこれに対して延びることができる１つ又は２つ以上の突条３８を備えた横方向側部３６を有するのが良い。特定の実施形態では、突条３８は、エゼクタ３０の高さ方向に沿って、即ち、溝２０，２１の外方に幾分半径方向（垂直方向）に任意の距離にわたって延びることができる。また、突条３８は、任意の側部３２，３４，３６に沿って長手方向に又は側方に延びても良いことが想定される。特に図１２を参照すると、図示の２つの分離された形態の各々は、単一のエゼクタ３０として働くことができ又は単一の突条エゼクタ３０として機能するよう個々に使用できることが想定される。突条３８は、物体に係合する表面領域を少なくすることにより物体の排出を助けることができ、かかる表面領域の減少により、エゼクタ３０により伝達される力を集中させて物体を良好に操作し、ねじりそしてこれを溝２０から押し出す。
【００１７】
各エゼクタ３０は、一般に、１つ又は２つ以上の先導面３７を有し、これら先導面の各々は、一般に、回転方向に向く。特に図３及び図５を参照すると、エゼクタ３０の例示の実施形態は、先導側部３２に且つ横方向側部３６に沿って設けられた先導面３７を有している。先導面３７は、物体を排除するのを助けることができる。というのは、先導面３７は、どの接触物体にもこれに対して排除力を伝達し、それにより、エゼクタ３０が回転してフットプリントから出る際に物体を前方に且つ／或いはトレッドから推進し又は押し出すことができる。
【００１８】
特定の実施形態としてのエゼクタ５０は、頂側部４０及び／又は底側部４１を更に有するのが良い。頂側部４０は、石又は他の物体が溝２０，２１に入るのを阻止するよう機能することができる。エゼクタ底側部４１は、図２〜図５に例示的に示されているように溝底部２４まで延びても良く又は図１５に例示的に示されているように溝底部２４の上方に又はこれからオフセットした状態で設けられても良いことが想定される。
【００１９】
エゼクタ３０は、任意所望の形状若しくは形態又はこれらの組み合わせのものであって良いことが理解される。例えば、エゼクタ３０は、さいころ形、ピラミッド形、四面体の形態をしていても良く、或いは、筒状若しくは球形或いは任意の形状のものであって良い。図８〜図１３は、エゼクタ３０のこれらの形態及び他の形態の例示の実施形態を提供している。図１２を参照すると、各形状又はエゼクタ３０を区分し又は隣りの形状又はエゼクタ３０と関連させて単一のエゼクタ３０として働くようにしても良いことが考えられる。理解されるように、表面及び／又は形状を図９に例示的に示されているように合体させても良く、この場合、先導側部３２及び後続側部３４と関連した表面は、横方向側部３６と合体する。表面は、図９及び図１０に例示的に示されているように凹状であっても良く、凸状であっても良い。側部３２，３４及び／又は３６は、溝底部２４に対して垂直に延びても良く或いは任意所望のバイヤスをなして半径方向に延びても良く、その結果、その表面は、溝２０，２１の外方に向くようになる。この向きは、排除機構又は仕組みを提供することができる。というのは、かかる表面が物体とのなす場合のある任意の排除接触が、物体を溝から外方に差し向けるからである。これは又、かかるエゼクタ３０の耐摩耗性、耐膨れ性及び耐引裂き性を向上させることができる。
【００２０】
作用を説明すると、サイプ５０は、タイヤフットプリントに入るとき又は出るときに溝側壁２２に沿って物体排除運動を生じさせることができる。具体的に説明すると、サイプ５０は、図６〜図８に例示的に示されているタイヤフットプリントに入る前又はその後のこれから出る前に、角度的に又は回転的に逸れる（即ち、回転する）ことによりかかる運動を生じさせることができる。図６及び図７は、トレッドがタイヤフットプリントから出る際にサイプ５０が溝側壁に沿って運動を生じさせる状態を例示的に示している。この運動は、サイプ５０がフットプリント（ＥＳ0）からフットプリント後（即ち、出ているときの）領域（ＥＳ1）に動いているときに、サイプ５０の間隔ＥＳの増大によって説明できる。
【００２１】
一方の溝側壁２２に沿って生じる運動を対向した溝側壁２２ａ，２２ｂ相互間の溝２０に沿う相対運動に変換することができる。図８は、対向した溝側壁２２ａ，２２ｂ相互間の相対運動を例示的に説明している。具体的に説明すると、図８は、本明細書において説明するサイプ−エゼクタ構造を含む他のサイプ−エゼクタ構造に適応可能な溝２０に沿う相対運動を例示すると共に説明するよう図６のサイプ−エゼクタ構造を用いている。図８では、Δ0は、対向した側壁２２ｂに相対的に投影された側壁２２ａに沿うサイプ５０とエゼクタ３０との間のフットプリント間隔を表している。さらに、Δ1は、増大した角度的偏り領域におけるタイヤフットプリントから出た際の同一の間隔を表している。Δ1は、Δ0よりも大きいことが明らかであり、このことは、側壁２２ａに沿う関連のリブ１２又は突起１４の相対運動を立証している。特に、関連のエゼクタ３０は、関連のサイプ５０が開くと、タイヤの回転方向に側壁２２ａに沿って動く。この運動は又、側壁２２ａ、２２ｂ相互間の相対運動の増大をもたらし、このことは、偏りΔ0，Δ1を側壁２２ｂ上に投影すると明らかになる。他のサイプ−エゼクタ構造が溝側壁２２ａ，２２ｂ相互間の相対運動をもたらすことができることが推定される。ただし、かかる構造がサイプ５０又は同様な寸法形状のサイプ５０と対向して直接配置されていないサイプをもたらすことを条件とする。
【００２２】
トレッド１０からの石及び他の物体の排除を容易にするため、エゼクタ３０は、溝２０及び／又は２１に沿う排除運動を生じさせるよう種々の構造の１つ又は２つ以上のサイプ５０と関連して働く。溝２０に沿って、エゼクタ３０は、１つ又は２つ以上の関連のサイプ５０に対して配置され、これらサイプの各々は、図４及び図５に例示的に示されているようにエゼクタ３０内から延びるのが良く且つ／或いは、図２及び図３に例示的に示されているようにエゼクタ３０に隣接して配置されるのが良い。サイプ５０がエゼクタ３０内に配置されている場合、かかるサイプ５０は、エゼクタ３０の長さ（ＬE）に沿うどこかの場所に配置でき、エゼクタ３０は、図４及び図５に示されているように中央に配置されるのが良いことが想定される。特定の実施形態では、隣接のサイプ５０は、図２及び図３に例示的に示されているように、関連のエゼクタ３０を備えた溝側壁２２に沿って配置されるのが良く、この場合、関連のサイプ５０は、エゼクタ３０の先導側部３２又は後続側部３４に隣接して配置されるのが良い。また、実施形態によれば、対向した溝側壁２２に沿って溝２０を横切って配置された隣接のサイプ５０を提供することができ、これは又、図２及び図３に例示的に示されている。
【００２３】
隣接して配置された関連のサイプ及びエゼクタが単一の側壁２２に沿って設けられている第１の隣接のサイプ−エゼクタ構造に関し（「共存サイプ−エゼクタ側壁構造」）で、サイプ５０は、エゼクタ３０の側部３２，３４から任意の距離を置いたところに配置可能である。エゼクタ３０の偏りは、関連のサイプ５０が側部３２，３４により近接して配置された場合、増大する場合がある。一実施形態では、サイプ５０は、側部３２，３４からゼロの距離を置いたところに設けられる。別の実施形態では、サイプ５０は、側部３２，３４から約１ｍｍのところに設けられる。さらに別の実施形態では、エゼクタ３０は、７ミリメートル（ｍｍ）の長さを有し、隣接して設けられている関連のサイプ５０は、側部３２，３４から１．５ｍｍのところに設けられ、これにより、関連のサイプのオフセットとエゼクタの長さにほぼ１：５の比が与えられる。他の実施形態では、サイプ５０は、図２及び図３に示されているようにエゼクタ５０の各側部３２，３４に隣接して設けられ、これにより単一のサイプ構造にわたって増大した偏りを提供することができる。したがって、多数のエゼクタ３０を側壁２２に沿って設け、各エゼクタ３０が図２及び図３に例示的に示されているように各側部３２，３４に隣接して設けられたサイプ５０を有する場合、各エゼクタ３０は、（１）隣接のエゼクタ３０と関連しない又は共有せず（即ち、各エゼクタ３０は１つ又は２つ以上の別個独立に関連したサイプ５０を有する）且つ／或いは（２）隣接のエゼクタ３０と共有した１つ又は２つ以上の関連のサイプ５０を有するのが良く、この場合、かかるサイプ５０は各々、図２及び図３に例示的に示されているように隣接のエゼクタ３０相互間に設けられる。排除能力は又、両方の側壁２２ａ，２２ｂに共存サイプ−エゼクタ側壁構造を有する場合に増大し、この共存サイプ−エゼクタ側壁構造は、図２及び図３に示されているように互い違いの関係で配置されるのが良い。かかる互い違いの構造は、例えばタイヤ作動中、タイヤトレッドにより生じる騒音を減少させようとする場合、標準の間隔を有しても良く、非標準の間隔を有しても良い。
【００２４】
上述の第２の隣接して設けられる関連のエゼクタ構造では、これにより、エゼクタ３０に対向した側壁２２に沿ってサイプ５０が隣接して設けられる（「対向側壁サイプ−エゼクタ構造」）。この実施形態では、１つ又は２つ以上のサイプ５０がたとえ距離が増大しても、サイプ−エゼクタ関連が物体排除運動を生じさせるのにそれほど効果的ではなくなった場合であっても、トレッド横方向（ＤL）又はこれから任意の距離をおいてエゼクタ３０の一部分に直接対向して配置されるのが良い。このサイプ−エゼクタ構造は、互い違いの関係をなして溝２０に沿って繰り返されるのが良い（即ち、すべてのエゼクタは、単一の側壁２２に沿って設けられる）。このサイプ−エゼクタ構造は、図２及び図３に示されているように交互の互い違いの関係をなして繰り返されても良い（即ち、互いに異なるサイプ−エゼクタ構造のエゼクタ及びサイプが同一の側壁２２に設けられる）。  上述した任意の関連のサイプ５０及びエゼクタ３０の構造による排除運動を容易にする場合、各サイプ５０が関連のエゼクタと垂直方向にオーバーラップすることが想定される。換言すると、エゼクタ及び関連のサイプ５０の高さは、これらの両方の部分部分が単一の横方向平面を貫通して延びる場合に互いにオーバーラップし、この場合、この単一の横方向平面は、横方向（ＤL）と長手方向（ＤC）の両方に延びる。このオーバーラップは、図３、図５、図１４及び図１５に符号ＯVとして表されている。オーバーラップがどのようなものであれ排除運動を生じさせるのに有用であることが想定される。ただし、有効性は、一般に、オーバーラップＯVの増大につれて増大する。一実施形態では、エゼクタ３０の５０％を関連のサイプ５０とオーバーラップさせる。別の実施形態では、図１５に例示的に示されているようにエゼクタ３０の１００％をオーバーラップさせる。図３、図５及び図１４は、１００％未満であるが、５０％を超えるオーバーラップを示している。
【００２５】
上述の構成では、各サイプ５０は、対向した溝側壁２２ａ，２２ｂ相互間に相対運動又は剪断を生じさせるよう溝２０に沿って別のサイプ５０と対向して配置されないのが良いことが想定される。対向したサイプ５０を互いに間隔を置いた配置状態に又は互い違いの配置状態に維持することが望ましい場合がある。しかしながら、対向したサイプ５０の寸法及び／又は形状が互いに異なっており、或いは、対向したサイプがその関連のエゼクタ３０と異なるオーバーラップ（ＯV）を提供する場合、サイプ５０が別のサイプ５０と対向したときに排除運動を提供することができるということが想定される。これは、互いに異なるサイプ５０が対向した溝側壁２２ａ，２２ｂ相互間に互いに異なる偏り又は運動をもたらすことができるので、排除運動の実現を依然として容易にすることができる。
【００２６】
本発明をその特定の実施形態に関して説明したが、かかる説明は、例示であって、本発明を限定するものではないことは理解されるべきである。したがって、本発明の範囲及び内容は、特許請求の範囲の記載にのみ基づいて定められるべきである。
【図１】
0005513406.tif 000002
【図２】
0005513406.tif 000003
【図３】
0005513406.tif 000004
【図４】
0005513406.tif 000005
【図５】
0005513406.tif 000006
【図６】
0005513406.tif 000007
【図７】
0005513406.tif 000008
【図８】
0005513406.tif 000009
【図９】
0005513406.tif 000010
【図１０】
0005513406.tif 000011
【図１１】
0005513406.tif 000012
【図１２】
0005513406.tif 000013
【図１３】
0005513406.tif 000014
【図１４】
0005513406.tif 000015
【図１５】
0005513406.tif 000016